(57)【特許請求の範囲】
【請求項１】
両脚と両脚の上端間を連結する押え部とからなるコ字状をなすタッカー針の下地に残った脚を抜くのに適したタッカー針の抜き具であって、
グリップ部（１０）の先端部分がく字状に曲成されて抜き部（１１）が形成され、該抜き部（１１）には先端縁から後方に向けて長溝（１６）が形成され、該長溝（１６）の一方の内側面（１４）は上記抜き部（１１）の中央縦断面内において斜め上方に傾斜した傾斜面となっている一方、
上記長溝（１６）の他方の内側面（１３）には弾性を有する挟持板（１５）が上記長溝（１６）奥方になるにしたがって上記一方の内側面（１４）の上端縁に接近するように取付けられており、上記挟持板（１５）は抜き部（１１）の中央縦断面内において上記長溝（１６）の一方の内側面（１４）と同じ方向に傾斜され、
下地（２１）に残ったタッカー針（２０）の脚（２０Ｂ）が上記長溝（１６）に相対的に差し込まれ、上記長溝（１６）の奥方に相対的に移動されることによって上記挟持板（１５）の内縁と上記一方の内側面（１４）の下端縁又は上端縁との間に挟持され、上記グリップ部（１０）が押し下げられて上記抜き部（１１）が上方に持ち上げられることによって上記脚（２０Ｂ）が下地（２１）から引き抜かれるようになしたことを特徴とするタッカー針の抜き具。
【請求項２】
上記グリップ部（１０）には舌片部（１２）が設けられ、該舌片部（１２）には先端縁から後方に伸びる複数の長溝（１２Ａ）が形成され、該複数の長溝（１２Ａ）は打ち込んだタッカー針（２０）の両脚（２０Ｂ）に相対的に差し込み得る間隔に形成されており、フォーク状の舌片部（１２）の長溝（１２Ａ）は打ち込んだタッカー針（２０）の両脚（２０Ｂ）に差し込まれ、上記グリップ部（１０）が押し下げられて上記舌片部（１２）が上記グリップ部（１０）が押し下げられて上記舌片部（１２）が上方に持ち上げられることによって上記タッカー針（２０）が引き抜かれるようになした請求項１記載のタッカー針の抜き具。
【発明の詳細な説明】
【技術分野】
【０００１】
本発明はタッカー針の抜き具に関し、特にタッカー針の押え部が破断して脚が下地に残ってしまったときに残った脚を楽に抜くことができるようにした抜き具に関する。
【背景技術】
【０００２】
屋内電気配線の工事において使用されるタッカー針は両脚と両脚の上端間を連結する押え部とからなるコ字状をなし、布設すべきケーブルにタッカー針の両脚を跨がらせて天井や壁面に打ち込み、ケーブルを天井や壁面に固定する一方、ケーブルを撤去する場合にはタッカー針の押え部と配線との間に抜き具の舌片を差し込んでタッカー針を抜いたり、ペンチやニッパーでタッカー針の押え部を把持して引き抜くことが行われている（特許文献１）。
【０００３】
ところで、舗装道路の路肩、建築構造物の敷地境界に構築されるコンクリート製擁壁、建築構造物の柱や窓ではコンクリート構造物の面取りを行うことが多い。この面取りを行う場合、型枠に面木を固定してコンクリートを打設し、コンクリートの固化後に型枠をばらし、面木を型枠から取り外すことが行われる。
【０００４】
従来、ハンマーなどを用いて面木に釘を打ち込んで型枠に固定することが行われていたが、最近はハンドタッカー、電動タッカーあるいはエアータッカーなどを用いてタッカー針を面木に打ち込んで型枠に取り付けることが行われている。
【先行技術文献】
【特許文献】
【０００５】
【特許文献１】実用新案登録第３０６５６３１号公報
【発明の開示】
【発明が解決しようとする課題】
【０００６】
しかし、面木用のタッカー針は面木から型枠に、コンクリートの打設圧に耐える強さで打ち込まれているので、タッカー針の押え部の下側に抜き具の舌片を差し込んでタッカー針を抜き、あるいはペンチやニッパーによってタッカー針の押え部を把持して引き抜こうとすると、大きな力を必要とし、タッカー針の押え部が両側の脚を残して破断してしまい、脚をペンチやニッパーで把持して引き抜こうとしても滑ってしまい、上手く抜けないことがあった。
【０００７】
本発明はかかる問題点に鑑み、タッカー針の押え部が破断して脚が下地に残ってしまったときに残った脚を楽に抜くことができるようにしたタッカー針の抜き具を提供することを課題とする。
また、本発明の第２の課題は、タッカー針の押え部を破断させることなく軽く抜けるようにしたタッカー針の抜き具を提供することである。
【課題を解決するための手段】
【０００８】
そこで、本発明に係るタッカー針の抜き具は、両脚と両脚の上端間を連結する押え部とからなるコ字状をなすタッカー針の下地に残った脚を抜くのに適したタッカー針の抜き具であって、グリップ部の先端部分がく字状に曲成されて抜き部が形成され、該抜き部には先端縁から後方に向けて長溝が形成され、該長溝の一方の内側面は上記抜き部の中央縦断面内において斜め上方又は斜め下方に傾斜した傾斜面となっている一方、上記長溝の他方の内側面には弾性を有する挟持板が上記長溝奥方になるにしたがって上記一方の内側面の下端縁又は上端縁に接近するように取付けられており、下地に残ったタッカー針の脚が上記長溝に相対的に差し込まれ、上記長溝の奥方に相対的に移動されることによって上記挟持板の内縁と上記一方の内側面の下端縁又は上端縁との間に挟持され、上記グリップ部が押し下げられて上記抜き部が上方に持ち上げられることによって上記脚が下地から引き抜かれるようになしたことを特徴とする。
【０００９】
本発明の特徴の１つはグリップ部の先端抜き部に長溝を形成し、長溝の一方の内側面を傾斜面、他方の内側面に弾性挟持板を長溝奥方になるにしたがって突出するように取付け、挟持板と長溝一方の内側面の下端縁又は上端縁との間にタッカー針の脚を弾性をもって挟み込んで強く保持するようにした点にある。
【００１０】
これにより、グリップ部を手で握って押し下げると、梃子の原理によって抜き部の先端側が上方に持ち上げられ、下地に残った脚を確実に引き抜くことできる。
【００１１】
挟持板は抜き部の中央縦断面内において水平に取付けてよいが、長溝の一方の内側面と同じ方向に傾斜させると、相対的に差し込まれた脚に対して大きな弾性反発力を作用させてタッカー針の脚を挟み込んでより一層強く保持することができる。
【００１２】
グリップ部には舌片部を設け、舌片部には先端縁から後方に伸びる複数の長溝を形成してフォーク状となし、長溝をタッカー針の両脚に差し込み得る間隔に形成し、タッカー針の押え部を破断させることなく軽くかつ確実にタッカー針を抜くことができる。また、グリップ部はバー状のものを用いるが、ペンチやニッパーとしてもよい。
【００１３】
また、本発明に係るタッカー針の抜き具は、両脚と両脚の上端間を連結する押え部とからなるコ字状をなすタッカー針を抜くのに適したタッカー針の抜き具であって、グリップ部には舌片部が形成され、該舌片部には先端縁から後方に向けて複数の長溝が形成され、該複数の長溝は打ち込んだタッカー針の両脚に相対的に差し込み得る間隔に形成され、フォーク状の舌片部の長溝は打ち込んだタッカー針の両脚に差し込まれ、上記グリップ部が押し下げられて上記舌片部が上方に持ち上げられることによって上記タッカー針が引き抜かれるようになしたことを特徴とする。
【００１４】
本発明の特徴は舌片部をタッカー針の両脚に差し込み得るフォーク状とした点にある。これにより、舌片部はタッカー針の押え部の下側に軽くかつ確実に所定の位置まで差し込むことができ、グリップ部を押し下げることによって、舌片部の上方に持上げる力が効率よく確実にタッカー針の押え部に伝わり、タッカー針を押え部や脚部で破断させることなく引き抜くことができる。
【図面の簡単な説明】
【００１５】
【図１】本発明に係るタッカー針の抜き具の好ましい実施形態を示す図である。
【図２】上記実施形態の作用を説明するための図である。
【図３】第２の実施形態を示す概略斜視図である。
【図４】第３の実施形態を示す概略図である。
【図５】第４の実施形態を示す概略図である。
【図６】第３の実施形態を示す概略図である。
【発明を実施するための形態】
【００１６】
以下、本発明を図面に示す具体例に基づいて詳細に説明する。図１及び図２は本発明に係るタッカー針の抜き具の好ましい実施形態を示す。図において、抜き具はグリップ部１０、抜き部１１及び舌片部１２から構成されている。抜き部１１はグリップ部１０の先端部分を略く字状に曲成して形成され、舌片部１２はグリップ部１０の後端部分を円弧状に曲成して形成されている。
【００１７】
抜き部１１には先端縁から後方に向けて長溝１６が形成され、長溝１６の一方の内側面１４は抜き部１１の中央縦断面内において斜め上方に傾斜した傾斜面となっている。他方、長溝１６の他方の内側面１３には板ばね製の挟持板１５が一方の内側面の傾斜と同じ方向に傾斜してかつ長溝１６奥方になるにしたがって一方の内側面１４の上端縁に接近するように取付けられている。
【００１８】
舌片部１２には複数、例えば３つの小幅の長溝１２Ａがタッカー針２０の両脚２０Ｂに相対的に差し込み得る間隔に形成され、長溝１２Ａを面木２１及び形枠（下地）に打ち込んだタッカー針２０の両脚２０Ｂに差し込んで抜くことができるようになっている。
【００１９】
面木２１及び形枠に打ち込んだタッカー針２０を抜く場合、タッカー針２０の両脚２０Ｂに抜き具の舌片部１２の長溝（１２Ａ）を相対的に差し込み、グリップ部１０を押し下げると、梃子の原理によって舌片部１２の先端側が持ち上げられ、タッカー針２０を抜くことができる。
【００２０】
その際、何らかの原因で舌片部１２に無理な力が加わり、タッカー針２０が押え部２０Ａや脚２０Ｂで破断すると、脚２０が面木２１に残ってしまう。かかる場合、図２の（ａ）に示されるように、抜き部１１の長溝１６を残った脚２０に位置合わせして抜き具１１を脚２０に対して押し進めると、脚２０が長溝１６内に相対的に差し込まれる。
【００２１】
このとき、挟持板１５が長溝１６奥方になるにしたがって一方の内側面１４の上端縁に接近するように取付けられているので、脚２０が挟持板１５と一方の内側面１４の上端縁に挟み込まれ、さらに抜き部１１を押し進めると、脚２０が挟持板１５を弾性変形させながら相対的に長溝１６の奥方に相対的に移動され、図２の（ｂ）に示されるように、脚２０は挟持板１５の弾性復元力によって挟持板１５の一方の内側面１４の上端縁の間に強く保持される。
【００２２】
後は、グリップ部１０を押し下げると、残った脚２０を面木２１及び型枠から軽くかつ確実に抜くことができる。
【００２３】
図３は第２の実施形態を示す。図において図１及び図２と同一符号は同一又は相当部分を示す。本例ではグリップ部１０後端に舌片部が設けられておらず、このように抜き部１１のみを設けるようにしてもよい。
【００２４】
図４は第３の実施形態を示す。図において図１及び図２と同一符号は同一又は相当部分を示す。本例ではグリップ部１０はペンチ状に形成されており、このようにグリップ部１０はバー状でなくてもよい。
【００２５】
図５は第４の実施形態を示す。図において図１ないし図４と同一符号は同一又は相当部分を示す。本例ではグリップ部１０の先端部分が円弧状に曲成されて舌片部１２が形成され、舌片部１２は先端に向けて鋭角な側面形状をなし、舌片部１２には先端縁から後方に向けて複数の長溝１２Ａがタッカー針２０の両脚２０Ｂに差し込み得る間隔に形成されることによって、舌片部１２はフォーク状となっている。
【００２６】
面木２１及び形枠に打ち込んだタッカー針２０を抜く場合、タッカー針２０の両脚２０Ｂに抜き具の舌片部１２の長溝１２Ａを差し込む。このとき、舌片部１２を先端が鋭角となったフォーク状としているので、舌片部１２はタッカー針２０の両脚２０Ａに軽くかつ確実に所定の位置まで差し込むことができ、その状態でグリップ部１０を押し下げると、梃子の原理によって舌片部１２の先端側が持ち上げられ、舌片部１２の上方に持上げる力が効率よく確実にタッカー針２０の押え部２０Ａに伝わり、タッカー針２０を脚部２０Ｂや押え部２０Ａで破断させることなく軽くかつ確実に引き抜くことができる。
【００２７】
図６は第５の実施形態を示す。図において図５と同一符号は同一又は相当部分を示す。本例ではグリップ部１０はペンチ状に形成されており、このようにグリップ部１０はバー状でなくてもよい。
【符号の説明】
【００２８】
１０    グリップ部
１１    抜き部
１２    舌片部
１２Ａ    長溝
１３    他方の内側面
１４    一方の内側面
１５    挟持板
１６    長溝
２０    タッカー針
２０Ａ    押え部
２０Ｂ    脚
２１    下地
【図１】
0006635760.tif 000002
【図２】
0006635760.tif 000003
【図３】
0006635760.tif 000004
【図４】
0006635760.tif 000005
【図５】
0006635760.tif 000006
【図６】
0006635760.tif 000007